(57)【要約】【課題】製品の信頼性を損なわずに安定した生産性を確保する。【解決手段】液晶表示装置は各々液晶分子配列が画素電極ＰＥおよび共通電極ＣＥから印加される電界により制御される複数の液晶画素ＰＸと、各液晶画素ＰＸ用の表示データを基準値に対して周期的に極性反転される階調電圧に変換しこの液晶画素ＰＸの画素電極ＰＥに出力する駆動回路ＤＲと、各液晶画素ＰＸの共通電極ＣＥに対して出力される基準値の共通電圧および駆動回路ＤＲに対して出力される様々な電源電圧を生成するＤＣ電源部３とを備える。特に、この液晶表示装置は、少なくとも共通電圧が基準値から調整されるようにＤＣ電源部３を電子制御する制御回路部１２とを備える。【選択図】      図１
2006119359.tif 000002
【特許請求の範囲】
【請求項１】
各々液晶分子配列が画素電極および共通電極から印加される電界により制御される複数の液晶画素と、各液晶画素用の表示データを基準値に対して周期的に極性反転される階調電圧に変換しこの液晶画素の画素電極に出力する駆動回路と、各液晶画素の共通電極に対して出力される前記基準値の共通電圧および前記駆動回路に対して出力される様々な電源電圧を生成する電源回路と、少なくとも前記共通電圧が前記基準値から調整されるように前記電源回路を電子制御する制御回路部とを備えることを特徴とする液晶表示装置。
【請求項２】
前記制御回路部は外部制御により設定される調整データを保持するデータ保持部を含み、前記電源回路は前記データ保持部に保持された前記調整データで表される調整値に前記共通電圧を設定する共通電圧回路を含むことを特徴とする請求項１に記載の液晶表示装置。
【請求項３】
前記制御回路部は前記データ保持部に保持された前記調整データに対応したデューティのパルス幅変調信号を出力するパルス幅変調出力回路を含み、前記共通電圧回路は前記調整値に設定された前記共通電圧を出力するために前記パルス幅変調出力回路から出力されるパルス幅変調信号を平滑化する平滑回路を含むことを特徴とする請求項２に記載の液晶表示装置。
【請求項４】
前記共通電圧回路は前記調整値に設定された前記共通電圧を出力するために前記データ保持部に保持された調整データをデジタルアナログ変換するデジタルアナログ変換回路を含むことを特徴とする請求項２に記載の液晶表示装置。
【請求項５】
前記制御回路部は外部から供給される映像信号を処理することにより前記複数の液晶画素用の表示データを得る映像信号処理回路に組み込まれ、調整用パターンとして前記複数の液晶画素用の表示データを生成する調整用表示データ生成部、および通常モードにおいて前記映像信号の処理により得られる前記複数の液晶画素用の表示データを前記駆動回路に出力させ、調整モードにおいて前記調整用表示データ生成部から得られる前記複数の液晶画素用の表示データを前記駆動回路に出力させる制御回路をさらに含むことを特徴とする請求項１に記載の液晶表示装置。
【請求項６】
前記制御回路部は外部から供給される映像信号を処理することにより前記複数の液晶画素用の表示データを得る映像信号処理回路に組み込まれ、調整用パターンとして前記複数の液晶画素用の表示データを生成する調整用表示データ生成部、および通常モードにおいて前記映像信号の処理により得られる前記複数の液晶画素用の表示データを前記駆動回路に出力させ、調整モードにおいて前記調整用表示データ生成部から得られる前記複数の液晶画素用の表示データを前記駆動回路に出力させ、この結果として表示される調整用パターンに基づいて外部から供給される調整データを前記データ保持部に対して入出力させる制御回路をさらに含むことを特徴とする請求項２に記載の液晶表示装置。
【発明の詳細な説明】
【技術分野】
【０００１】
本発明は、各液晶画素の液晶分子配列が一対の電極から液晶層に印加される電界により制御される液晶表示装置に関する。
【背景技術】
【０００２】
例えば液晶表示装置は薄型、小型、軽量という特徴からパーソナルコンピュータ、携帯情報端末、あるいはテレビ等のディスプレイとして広く利用されている。
【０００３】
典型的な液晶表示装置は複数の画素電極がマトリクス状に配置される第１基板、共通電極がこれら画素電極に対向して配置される第２基板、および第１および第２基板間に光変調層として挟持される液晶層を備える。一対の画素電極および共通電極はこれら電極間に配置された液晶層の一領域と共に液晶画素を構成する。各液晶画素では、液晶分子配列が画素電極および共通電極間の画素電圧に依存した電界により制御される。
【０００４】
液晶層に印加される電界の方向が一定であると、液晶材料が液晶層内で画素電極および共通電極の一方側に徐々に移動して偏在化する。この偏在化は液晶表示装置に特有の現象であって、フリッカを発生させたり表示機能を永久破壊したりする原因となる。フリッカは液晶材料が僅かに偏在化した状態から発生し、表示機能は液晶材料が著しく偏在化した状態で破壊される。このため、液晶表示装置は一般に画素電圧の極性を周期的に反転させることにより液晶材料の偏在化を防止している。具体的には、フレーム反転駆動やライン反転駆動のような駆動方式が組み合わせて用いられる。フレーム反転駆動は垂直走査（フレーム）期間単位に画素電圧の極性を反転する方式であり、表示機能を維持するために有効である。また、ライン反転駆動は所定の行数または列数の液晶画素毎に画素電圧の極性を反転する方式であり、フリッカを抑制するために有効である。
【０００５】
各液晶画素の画素電圧は共通電圧Ｖcomを印加した共通電極と階調電圧Ｖsigを印加した画素電極間に得られる電位差である。階調電圧Ｖsigは画素電圧を極性反転させるために例えばＶcom＋階調レベル、Ｖcom−階調レベルのように設定される（例えば特許文献１を参照）。
【０００６】
ところで、画素電極および共通電極の電位は、例えば階調電圧Ｖsigを画素電極に供給するスイッチング素子の特性や画素構造および液晶層に依存した静電容量等と密接な関係にあり、これらのバラツキを完全に無くすように製造プロセスを実際に制御することは困難である。このため、共通電圧Ｖcomが階調電圧Ｖsigの振幅の中心から相対的にずれ、これに伴って電界の方向性が極性反転により均一化されなくなり、フリッカなどのノイズが観察される結果となる。
【特許文献１】特開２００２−１９６７２３号公報
【発明の開示】
【発明が解決しようとする課題】
【０００７】
従来においては、階調電圧Ｖsigに対する共通電圧Ｖcomのずれを解消する調整用に抵抗値を可変する可変抵抗器を設け、液晶表示装置の製造工程の一部で小型のスクリュードライバ等を利用して機械的に可変抵抗器の抵抗値を可変していた。この場合、調整時の手振れあるいはスクリュードライバの接触で加わる機械的応力に起因した抵抗値のずれや接触点の劣化が生じ、階調電圧Ｖsigの振幅の中心となる所望値に共通電圧Ｖcomを調整できないという不具合があった。
【０００８】
本発明の目的は、製品の信頼性を損なわずに安定した生産性を確保することができる液晶表示装置を提供することにある。
【課題を解決するための手段】
【０００９】
本発明によれば、各々液晶分子配列が画素電極および共通電極から印加される電界により制御される複数の液晶画素と、各液晶画素用の表示データを基準値に対して周期的に極性反転される階調電圧に変換しこの液晶画素の画素電極に出力する駆動回路と、各液晶画素の共通電極に対して出力される基準値の共通電圧および駆動回路に対して出力される様々な電源電圧を生成する電源回路と、少なくとも共通電圧が基準値から調整されるように電源回路を電子制御する制御回路部とを備える液晶表示装置が提供される。
【発明の効果】
【００１０】
この液晶表示装置では、少なくとも共通電圧が電子制御により調整される。この場合、共通電圧の調整において従来のような機械的な手法に起因する困難さを伴わずに製造時の製品検査を行うことができる。従って、製品の信頼性を損なわずに安定した生産性を確保することができる。
【発明を実施するための最良の形態】
【００１１】
以下、本発明の第１実施形態に係る液晶表示装置について添付図面を参照して説明する。図１はこの液晶表示装置の回路構成を概略的に示し、図２は図１に示す液晶表示装置の一部について回路構成をさらに詳細に示す。この液晶表示装置は外部から供給される映像信号を処理する映像信号処理回路１、映像信号処理回路１の処理結果に基づいて画像を表示する表示パネル２、表示パネル２の動作に必要な様々な電源電圧を供給するＤＣ電源部３、および一定数の階調基準電圧を生成するリファレンス回路４を備える。
【００１２】
表示パネル２は複数の画素電極ＰＥがマトリクス状に配置される第１基板ＡＲ、共通電極ＣＥがこれら画素電極ＰＥに対向して配置される第２基板ＣＴ、および第１基板ＡＲおよび第２基板ＣＴ間に光変調層として挟持される液晶層ＬＱを有する。一対の画素電極ＰＥおよび共通電極ＣＥはこれら電極ＰＥ，ＣＥ間に配置された液晶層ＬＱの一領域と共に液晶画素ＰＸを構成する。各液晶画素ＰＸでは、液晶分子配列が画素電極ＰＥおよび共通電極ＣＥ間の画素電圧に依存した電界により制御される。
【００１３】
第１基板ＡＲは、画素電極ＰＥの行に沿って配置される複数の走査線Ｙ、画素電極ＰＥの列に沿って配置される複数の信号線Ｘ、これら走査線Ｙおよび信号線Ｘの交差位置近傍に配置される複数の画素スイッチング素子Ｗ、複数の走査線Ｙを駆動する走査線ドライバＹＤ、および複数の信号線を駆動する信号線ドライバＸＤを有する。各画素スイッチング素子Ｗは例えば薄膜トランジスタからなり、１走査線Ｙを介して駆動された時に１信号線Ｘを１画素電極ＰＥに電気的に接続する。走査線ドライバＹＤは例えば垂直同期信号を垂直走査クロックに同期してシフトさせることにより複数の走査線Ｙを順次選択して駆動する。信号線ドライバＸＤは例えば水平同期信号を水平走査クロックに同期してシフトさせることにより１行分の表示データをサンプリングし、さらにこれらをデジタルアナログ変換した階調電圧Ｖsigにより複数の信号線Ｘを駆動する。
【００１４】
ここで、走査線ドライバＹＤおよび信号線ドライバＸＤは画素スイッチング素子Ｗの薄膜トランジスタと一緒に形成される複数の薄膜トランジスタからなる駆動回路ＤＲであり、ＤＣ電源部３から出力される電源電圧＋ＶＤＤ（＝＋５Ｖ），−ＶＤＤ（＝−５Ｖ）により動作する。信号線ドライバＸＤは外部のリファレンス回路４から得られる一定数の階調基準電圧を用いデジタルアナログ変換を行う。一定数の階調基準電圧はＤＣ電源部３から出力される電源電圧ＶＢＢ（＝＋１０Ｖ）を例えば分圧回路等で分圧することにより生成される。共通電極ＣＥには、ＤＣ電源部３から出力される共通電圧Ｖcom（＝＋４．５Ｖ）が印加される。ＤＣ電源部３は外部から供給されるＤＣ電源電圧から互いに異なる例えば電源電圧＋ＶＤＤ，−ＶＤＤ，ＶＢＢおよび共通電圧Ｖcomを生成するＤＣ−ＤＣコンバータである。
【００１５】
映像信号処理回路１は外部から供給されるＲＧＢアナログ映像信号を表示パネル２の解像度、すなわち液晶画素ＰＸの数に合わせるように変換する解像度変換回路１１、解像度変換回路１１およびＤＣ電源部３を制御する制御回路部１２を備える。解像度変換回路１１はＲＧＢアナログ映像信号をアナログデジタル（ＡＤ）変換することにより複数の液晶画素ＰＸ用のデジタル表示データを抽出し、これら一群の表示データを垂直および水平同期信号並びに垂直および水平走査クロックのような駆動制御信号と一緒に駆動回路ＤＲに出力する。制御回路部１２は映像信号処理に関連した様々な制御を行うマイクロプロセッサユニット（ＭＰＵ）回路１５、共通電圧Ｖcomを基準値から調整するために調整データを保持するＥＥＰＲＯＭ１６、およびこのＥＥＰＲＯＭ１６に保持された調整データに対応したデューティのパルス幅変調（ＰＷＭ）信号を出力するパルス幅変調（ＰＷＭ）出力回路１７を含む。ＭＰＵ回路１５は外部から供給される調整制御信号に従って調整データをＥＥＰＲＯＭ１６に設定する。ここでは、調整データが調整制御信号に含まれているが、ＭＰＵ回路１５が内部に予め用意した複数の調整データのいずれかを調整制御信号に従って選択して設定してもよい。
【００１６】
ＤＣ電源部３は共通電圧Ｖcomを生成するＶcom（共通電圧）回路３Ａを有する。Ｖcom回路３Ａは例えば４．５Ｖの基準レベルを含む４．５Ｖ±１Ｖの所定範囲で共通電圧Ｖcomを可変するように構成され、ＥＥＰＲＯＭ１６に保持された調整データで表される調整値に共通電圧Ｖcomを設定する。ここでは、Ｖcom回路３Ａが例えば図２に示すように平滑回路１８および増幅器１９により構成される。平滑回路１８はＰＷＭ出力回路１７から出力されるＰＷＭ信号を平滑化するように接続される抵抗ＲおよびコンデンサＣからなり、増幅器１９は平滑回路１８の出力電圧を増幅し、これにより調整データによって表される調整値に設定された共通電圧Ｖcomを得る。
【００１７】
次に上述の液晶表示装置の動作を説明する。製造時の製品検査で表示パネル２に画像を表示させる段階では、ＥＥＰＲＯＭ１６が共通電圧Ｖcomを基準値に設定するための調整データを初期データとして保持する。この場合、ＭＰＵ回路１５はＥＥＰＲＯＭ１６に保持される初期データをＰＷＭ出力回路１７に出力する。ＰＷＭ出力回路１７はこの初期データに対応したデューティのＰＷＭ信号をＤＣ電源部３に出力する。ＤＣ電源部３のＶcom回路３ＡはＰＷＭ信号を平滑化し増幅することにより基準値に設定された共通電圧Ｖcomを生成する。この共通電圧Ｖcomは表示パネル２の対向基板ＣＴにおいて複数の画素電極ＰＥに対向して設けられる共通電極ＣＥに供給される。
【００１８】
他方、解像度変換回路１１は外部から供給されるＲＧＢアナログ映像信号をアナログデジタル（ＡＤ）変換して複数の液晶画素ＰＸ用のデジタル表示データを抽出する。これら表示データは垂直および水平同期信号並びに垂直および水平走査クロックのような駆動制御信号と一緒に駆動回路ＤＲに出力される。
【００１９】
走査線ドライバＹＤが複数の走査線Ｙの１本を駆動すると、この走査線Ｙに接続された１行分の画素スイッチング素子Ｗが導通する。この間、信号線ドライバＸＤは、１行分の表示データを順次サンプリングし、さらに階調基準電圧を用いて階調電圧Ｖsigにデジタルアナログ変換する。これら階調電圧Ｖsigはそれぞれ複数の信号線Ｘに供給され、上述した１行分の画素スイッチング素子Ｗを介してそれぞれ１行分の画素電極ＰＥに供給される。
【００２０】
各行の液晶画素ＰＸはこのようにして画素電極ＰＥおよび共通電極ＣＥ間に得られる画素電圧に対応した透過率に設定される。ここで、各階調電圧Ｖsigは画素電極ＰＥおよび共通電極ＣＥ間に得られる画素電圧を１水平走査期間および１垂直走査期間毎に極性反転させるために例えばＶcom＋階調レベル、Ｖcom−階調レベルのように設定される。
【００２１】
共通電圧Ｖcomを調整する必要がある場合には、調整制御信号が外部から供給される。これに伴い、ＭＰＵ回路１５はこの調整制御信号に含まれる調整データをＥＥＰＲＯＭ１６に入力し、これによりＥＥＰＲＯＭ１６に保持される調整データをＰＷＭ出力回路１７に出力する。このとき、ＥＥＰＲＯＭ１６の内容は外部から入力された調整データによって更新される。ＰＷＭ出力回路１７はこの調整データに対応したデューティのＰＷＭ信号をＤＣ電源部３に出力する。ＤＣ電源部３のＶcom回路３ＡはＰＷＭ信号を平滑化し増幅することにより基準値から調整値に変化した共通電圧Ｖcomを生成する。この共通電圧Ｖcomは表示パネル２の対向基板ＣＴにおいて複数の画素電極ＰＥに対向して設けられる共通電極ＣＥに供給される。
【００２２】
もし、表示動作が適切でない場合には、ＥＥＰＲＯＭ１６の内容が再度別の調整データにより更新される。適切な表示動作が得られた場合には、出荷後の表示動作で使用されるようにＥＥＰＲＯＭ１６の内容が維持される。
【００２３】
本実施形態では、従来とは違って、機械的な可変抵抗器による調整を行う必要が無く、従来のように調整時の手振れあるいはスクリュードライバの接触で加わる機械的応力に起因した抵抗値のずれや接触点の劣化が生じ、階調電圧Ｖsigの振幅の中心となる所望値に共通電圧Ｖcomを調整できないという不具合は生じない。すなわち、機械的な制御ではない電子制御によって調整され、この調整のために最終製品を分解する必要もないことから、製品の信頼性を損なわずに安定した生産性を確保することができる。
【００２４】
次に、本発明の第２実施形態に係る液晶表示装置について添付図面を参照して説明する。
【００２５】
図３はこの液晶表示装置の回路構成を概略的に示し、図４は図３に示す液晶表示装置の一部について回路構造をさらに詳細に示す。本実施形態の液晶表示装置は、制御回路部１２およびＶcom回路３Ａを除いて第１実施形態と同様に構成される。このため、同様部分を同一参照符号で表し、重複する説明を省略あるいは簡略化する。
【００２６】
この制御回路部３Ａでは、図３に示すように、ＭＰＵ回路１５が外部から供給されるモード設定信号および調整データを受け取り、さらに調整用パターンとして複数の液晶画素ＰＸ用の表示データを生成する調整用表示データ生成部２０を制御するように構成される。モード設定信号は例えばＭＰＵ回路１５に接続される外部スイッチＭＳから供給され、調整データは映像信号の入力端にシリアルに供給される。この場合、モード設定信号はスイッチＭＳの状態に対応して調整モードおよび通常モードの一方を選択してＭＰＵ回路１５に設定する信号である。ＭＰＵ回路１５、通常モードにおいて映像信号の処理により得られる複数の液晶画素ＰＸ用の表示データを駆動回路ＤＲに出力させ、調整モードにおいて調整用表示データ生成部２０から得られる複数の液晶画素ＰＸ用の表示データを駆動回路ＤＲに出力させる。また、ＭＰＵ回路１５は調整モードにおいて表示結果の調整用パターンに基づいて外部から供給される調整データをＥＥＰＲＯＭ１６に対して入出力させる。調整データは映像信号の入力端を介してシリアルにＭＰＵ回路１５に供給される８ビットのデジタルデータであり、ＭＰＵ回路１５によってパラレルに変換されてＥＥＰＲＯＭ１６に入力される。ＥＥＰＲＯＭ１６に保持された後、そのままＶcom回路３Ａに出力される。
【００２７】
Ｖcom回路３Ａは、図４に示すように調整データをデジタルアナログ変換する抵抗式ＤＡコンバータとして構成される。この抵抗式ＤＡコンバータは電源電圧ＶＢＢを複数の出力電圧に分圧する抵抗分圧回路２１および抵抗分圧回路２１から得られる複数の出力電圧の１つを調整データに対応して選択することにより調整データをデジタルアナログ変換するＤ／Ａ変換部２２を有する。抵抗分圧回路２１は抵抗Ｒ１，Ｒ２，Ｒ３からなり、さらに抵抗Ｒ２は抵抗Ｒ１およびＲ３間に得られる電圧をさらに細かく分圧して複数のタップから出力電圧を出力するラダー抵抗からなる。Ｄ／Ａ変換部２２は抵抗分圧回路２１から得られる複数の出力電圧の１つを選択し増幅するように構成される。ここでは、供給抵抗式ＤＡコンバータが調整データのビット数に対応した８ビットの分解能を持ち、共通電圧Ｖcomの基準値である４.５Vを中心に±１Vの範囲で設定できるように設定されている。
【００２８】
次に上述の液晶表示装置の動作を説明する。製造時の製品検査で表示パネル２に画像を表示させる場合には、スイッチＭＳが通常モードを選択する状態に設定される。ここで、ＥＥＰＲＯＭ１６は共通電圧Ｖcomを基準値に設定するための調整データを初期データとして保持する。ＭＰＵ回路１５は、通常モードにおいてＥＥＰＲＯＭ１６に保持される初期データをＤＣ電源部３に出力する。ＤＣ電源部３のＶcom回路３Ａは初期データをデジタルアナログ変換することにより基準値に設定された共通電圧Ｖcomを生成する。この共通電圧Ｖcomは表示パネル２の対向基板ＣＴにおいて複数の画素電極ＰＥに対向して設けられる共通電極ＣＥに供給される。
【００２９】
他方、解像度変換回路１１は通常モードにおいて外部から供給されるＲＧＢアナログ映像信号をアナログデジタル（ＡＤ）変換して複数の液晶画素ＰＸ用のデジタル表示データを抽出する。これら表示データは垂直および水平同期信号並びに垂直および水平走査クロックのような駆動制御信号と一緒に駆動回路ＤＲに出力される。
【００３０】
走査線ドライバＹＤが複数の走査線Ｙの１本を駆動すると、この走査線Ｙに接続された１行分の画素スイッチング素子Ｗが導通する。この間、信号線ドライバＸＤは、１行分の表示データを順次サンプリングし、さらに階調基準電圧を用いて階調電圧Ｖsigにデジタルアナログ変換する。これら階調電圧Ｖsigはそれぞれ複数の信号線Ｘに供給され、上述した１行分の画素スイッチング素子Ｗを介してそれぞれ１行分の画素電極ＰＥに供給される。
【００３１】
各行の液晶画素ＰＸはこのようにして画素電極ＰＥおよび共通電極ＣＥ間に得られる画素電圧に対応した透過率に設定される。ここで、各階調電圧Ｖsigは画素電極ＰＥおよび共通電極ＣＥ間に得られる画素電圧を１水平走査期間および１垂直走査期間毎に極性反転させるために例えばＶcom＋階調レベル、Ｖcom−階調レベルのように設定される。
【００３２】
製造時の製品検査で共通電圧Ｖcomを調整する場合には、スイッチＭＳが調整モードを選択する状態に設定される。調整モードが選択されると、ＭＰＵ回路１５は調整用表示データ生成部２０から得られる複数の液晶画素ＰＸ用の表示データを同期信号およびクロックと一緒に駆動回路ＤＲに出力させる。このとき、表示パネル２の表示動作は調整用パターンが表示されることを除いて通常モードと同様である。また、ＭＰＵ回路１５はこの表示結果の調整用パターンに基づいて外部から映像信号の代わりに供給される調整データをＥＥＰＲＯＭ１６に入力し、これによりＥＥＰＲＯＭ１６に保持される調整データをＤＣ電源部３に出力する。このとき、ＥＥＰＲＯＭ１６の内容は外部から入力された調整データによって更新される。ＤＣ電源部３のＶcom回路３Ａは調整データをデジタルアナログ変換することにより基準値から調整値に変化した共通電圧Ｖcomを生成する。この共通電圧Ｖcomは表示パネル２の対向基板ＣＴにおいて複数の画素電極ＰＥに対向して設けられる共通電極ＣＥに供給される。
【００３３】
もし、調整用パターンが適切に表示されない場合には、ＥＥＰＲＯＭ１６の内容が再度別の調整データにより更新される。適切な表示動作が得られた場合には、スイッチＭＳが通常モードを選択する状態に戻され、出荷後の表示動作で使用されるようにＥＥＰＲＯＭ１６の内容が維持される。
【００３４】
本実施形態では、第１実施形態と同様の効果を得ることができる。さらに、調整用パターンが調整モードにおいて表示パネル２に表示されるため、共通電圧Ｖcomの調整をより正確に行うことが可能である。また、モード設定信号は外部スイッチＭＳ等を利用して供給され、階調データは調整モードにおいて映像信号の入力端を利用して外部からシリアルに供給される。従って、第１実施形態よりも外部接続用の端子数の増大を抑制することができる。
【００３５】
尚、本発明は上述の実施形態に限定されず、その要旨を逸脱しない範囲で様々に変形可能である。
【００３６】
例えば図４に示すＶcom回路３Ａを第１実施形態に適用すれば、図１に示すＰＷＭ出力回路１７を省略することができる。また、図１に示すＰＷＭ出力回路１７を第２実施形態に適用して制御回路部１２に設けることもできる。この場合には、図４に示すＶcom回路３Ａが図２に示すＶcom回路３Ａに置き換える必要がある。さらに、第２実施形態では、階調データが調整モードにおいて映像信号の代わりに外部から供給されたが、第１実施形態で説明したように映像信号とは独立に供給されたり、予め内部に用意しておいて選択されたりするように変形してもよい。
【００３７】
また、各実施形態では共通電圧Ｖcomについてのみ調整されたが、これ以外の電源電圧についても同様に調整するようにしてもよい。
【図面の簡単な説明】
【００３８】
【図１】本発明の第１実施形態に係る液晶表示装置の回路構成を概略的に示す図である。
【図２】図１に示す液晶表示装置の一部について回路構成を詳細に示す図である。
【図３】本発明の第２実施形態に係る液晶表示装置の回路構成を概略的に示す図である。
【図４】図３に示す液晶表示装置の一部について回路構成を詳細に示す図である。
【符号の説明】
【００３９】
１…映像信号処理回路、２…表示パネル、３…ＤＣ電源部、３Ａ…Ｖcom回路、４…リファレンス回路、１１…解像度変換回路、１２…制御回路部、１５…ＭＰＵ回路、１６…ＥＥＰＲＯＭ、１７…ＰＷＭ出力回路、１８…平滑回路、１９…増幅器、２０…調整用表示データ生成部、２１…抵抗分圧回路、２２…Ｄ／Ａ変換部、ＭＳ…外部スイッチ、ＤＲ…駆動回路、Ｘ…信号線、Ｙ…走査線、ＸＤ…信号線ドライバ、ＹＤ…走査線ドライバ、ＰＥ…画素電極、ＣＥ…共通電極、ＰＸ…液晶画素。
【図１】
2006119359.tif 000003
【図２】
2006119359.tif 000004
【図３】
2006119359.tif 000005
【図４】
2006119359.tif 000006